(57)【特許請求の範囲】
【請求項１】
固定支持部と、この固定支持部に対して略直交状態と略直状状態の間を揺動回転して係止保持される回転アームで連結機構部が構成され、この連結機構部を少なくとも机の左右に配置して各連結機構部の固定支持部の間を横桟部材で連結すると共に、前記固定支持部には脚部を取付け、前記回転アームには天板を取付けた折り畳み机であって、前記固定支持部には略直交状態に位置決めする第１及び第３の係止溝と、略直状状態に位置決めする第２及び第４の係止溝を上部側外周に設け、前記回転アームは固定支持部の上部側に枢着して天板が取り付けられるアーム本体と、ばね付勢した揺動回転部をアーム本体に枢着して前後にスライド可能なスライド操作部で構成され、アーム本体には第３又は第４の係止溝に嵌合する一方の係止軸を設け、スライド操作部の揺動回転部には第１又は第２の係止溝に嵌合する他方の係止軸を設け、ばね付勢した揺動回転部のスライドによって係止保持又は係止解除操作が行われ、天板を水平状態にした使用時に他方の係止軸を第１の係止溝に嵌合させると、一方の係止軸が第３の係止溝に嵌合し、天板を折り畳んだ際に他方の係止軸を第２の係止溝に嵌合させると、一方の係止軸が第４の係止溝に嵌合することを特徴とした折り畳み机。
【請求項２】
前記折り畳み机は、連結機構部と横桟部材を含む基体部と、天板と、脚部の全部又は脚台が独立した分割ユニットとして構成され、各分割ユニットはねじ締結手段によって組立及び分解可能にした請求項１に記載した折り畳み机。
【請求項３】
前記脚部は、連結機構部の固定支持部に連結して基体部に含まれる脚柱と、この脚柱の下端側にねじ締結手段によって着脱可能な脚台とで構成する請求項２に記載した折り畳み机。
【請求項４】
前記折り畳み机は、連結機構部の回転アームに連結した棚板と、ヒンジ部材を介して上端側を天板に連結すると共に、ステー部材を介して下端側を脚部に連結する幕板を着脱可能に設けた請求項１〜３のいずれかに記載した折り畳み机。
【発明の詳細な説明】
【０００１】
【発明の属する技術分野】
本発明は、不使用時の保管などを容易にするために、天板を脚部と平行するように垂直状に折り畳みできると共に、搬送及び保管などを容易にするために、独立した複数の分割ユニットからノックダウン式に組立が可能な折り畳み机に係り、例えばＯＡデスクや会議用テーブルなどを含む事務用机に適用することができる。
【０００２】
【従来の技術】
この種の事務用机は、不使用時の保管や引っ越しの際に嵩張らないようにし、特に複数の机を並べた状態にして少ないスペースで保管又は収容できるように折り畳みすると便利であり、このような目的の折り畳み式テーブルが既に提案され、例えば特開平１１−５６４８０号公報に開示されている。
【０００３】
この提案による折り畳み式テーブルでは、天板とその両端を支持する左右の脚柱との間にビーム部材を設け、このビーム部材を介して天板と左右の脚部とを枢着させることで、天板を脚部と平行するように垂直状に折り畳みできるようにし、これにより折り畳んだ複数の机を並べた状態にして少ないスペースで保管することを可能にしている。
【０００４】
【発明が解決しようとする課題】
しかしながら、この提案による折り畳み式テーブルの場合には、主要な構成部材の相互間が溶接などの固着手段で一体に接合されているので、使用する現場でノックダウン式に組立を行うことができず、生産工場からエンドユーザーに渡る迄の間は、完成品を折り畳んだ状態にして搬送及び保管を行うことになり、その取り扱いが不便であった。
【０００５】
そこで本発明では、不使用時には天板を脚部と平行するように垂直状に折り畳みができ、折り畳んだ複数の机を並べた状態にして少ないスペースで保管することも可能であると共に、特に搬送や保管を容易にするために、構造及び組立作業を簡単にしてノックダウンにも適合するようにした折り畳み机を提供する。
【０００６】
【課題を解決するための手段】
本発明による折り畳み机は、固定支持部と、この固定支持部に対して略直交状態と略直状状態の間を揺動回転して係止保持される回転アームで連結機構部が構成され、この連結機構部を少なくとも机の左右に配置して各連結機構部の固定支持部の間を横桟部材で連結すると共に、前記固定支持部には脚部を取付け、前記回転アームには天板を取付けたことを特徴とする。
【０００７】
この折り畳み机によると、不使用時には連結機構部を操作して天板を脚部と平行するように垂直状に折り畳みができ、折り畳んだ複数の机を並べた状態にして少ないスペースで保管することも可能であり、特に連結機構部を要部とした少ない構成部材によって容易に組立ができる。
【０００８】
前記折り畳み机における連結機構部は、固定支持部の上部側に枢着して天板が取り付けられるアーム本体と、後端側に設けた揺動回転部をアーム本体に枢着して前後にスライド可能なスライド操作部で回転アームが構成され、固定支持部の上部側外周には略直交状態に位置決めする第１及び第３の係止溝と、略直状状態に位置決めする第２及び第４の係止溝を設けると共に、揺動回転部には第１又は第３の係止溝に嵌合する係止軸を設けた形態を採ることができる。
【０００９】
この折り畳み机によると、天板及び脚部を固定したり、天板を揺動回転させて折り畳むなどの全ての機能が連結機構部に集約され、その構成は簡単な機構によって達成されるので、堅牢で耐久性のある折り畳み机を安価に提供することが可能である。
【００１０】
前記折り畳み机は、連結機構部と横桟部材を含む基体部と、天板と、脚部の全部又は脚台が独立した分割ユニットとして構成され、各分割ユニットはねじ締結手段によって組立及び分解可能にした形態を採ることができる。
【００１１】
この折り畳み机によると、少ない取付けねじの連結によってノックダウン形式で容易に組立及び分解が可能であるから、生産工場からエンドユーザに渡るまでの間は分割ユニットの状態で保管及び搬送し、使用する現場で容易に組み立てができるので、場所を取らず且つ取り扱いも容易になるなどの効果を発揮する。
【００１２】
前記折り畳み机における脚部は、連結機構部の固定支持部に連結して基体部に含まれる脚柱と、この脚柱の下端側にねじ締結手段によって着脱可能な脚台とで構成する形態を採ることができる。
【００１３】
脚部として、方形をした板状に一体形成したものを使用し、この脚部を結機構部の固定支持部に着脱可能に連結する構成を採ることも可能であるが、この実施形態のように脚部を脚柱と脚台とに分割した構成にすると、軽量化や小型化を図ることができるので、ノックダウン形式に適合する。
【００１４】
前記折り畳み机は、連結機構部の回転アームに連結した棚板と、ヒンジ部材を介して上端側を天板に連結すると共に、ステー部材を介して下端側を脚部に連結する幕板を着脱可能に設けた形態を採ることができる。
【００１５】
この折り畳み机では、連結機構部によって天板の折り畳み操作を行った際に、これに連動して幕板を天板と同様に脚部と平行した状態に折り畳むことができると共に、この幕板も独立した分割ユニットとして別梱包することができる。
【００１６】
【発明の実施の形態】
以下、本発明の折り畳み机について、本発明を適用した実施形態を示す添付図面に基づき詳細に説明すると、折り畳み机１は独立した複数の分割ユニットにした状態で現地に搬入し、ノックダウン形式で組立を行うことができるが、例えば図１の梱包形態の説明図のように、基体部２と、左右の脚台３，４と、天板５と、幕板６に分解可能とし、基体部２と脚台３，４を同一梱包とした３分割の状態で現地に搬入することができる。
【００１７】
なお、この実施形態では、基体部２の空いているスペースを有効利用するために脚台３，４を同一梱包としたが、脚台３，４を別梱包にしたり、天板５と幕板６を同一梱包とした形態を採ることも可能であり、また各分割ユニットの間を連結するねじ類や、組立説明書なども基体部２と同一梱包にしておく。
【００１８】
折り畳み机１は、図２の正面図及び図３の右側面図のように、左右一対の連結機構部１１，１２の間を横桟部材９と棚板１０とで連結して基体部２が形成され、脚柱７，８の下端側にキャスター付きの脚台３，４を取付けると共に、脚柱７，８の上端側には左右一対の連結機構部１１，１２を介して天板５を折り畳み可能に取付け、天板５の後方直下に幕板６を取り付けている。
【００１９】
連結機構部１１，１２は、固定支持部１１Ａ，１２Ａと回転アーム１１Ｂ，１２Ｂとで構成され、両者は係止保持状態と係止解除状態とに切換えが可能であり、係止解除状態では固定支持部１１Ａ，１２Ａに対して回転アーム１１Ｂ，１２Ｂが回動できるようにしている。
【００２０】
また、脚柱７，８及び横桟部材９は固定支持部１１Ａ，１２Ａに、天板５及び棚板１０は回転アーム１１Ｂ，１２Ｂに、それぞれ連結されると共に、幕板６は天板５と脚柱７，８の間に連結される。
【００２１】
この組立手順を図４〜７で詳細に説明すると、基体部２は図４のように、連結機構部１１，１２の一端側に設けた固定支持部１１Ａ，１２Ａを横桟部材９の両端に取付け、この固定支持部１１Ａ，１２Ａを脚柱７，８の内側に固着すると共に、他端側に設けた回転アーム１１Ｂ，１２Ｂの間に棚板１０を取り付けた構成を有し、基体部２に対する脚台３，４の組付作業は、脚台３，４の中間部を取付けねじ１３で脚柱７，８の下端側に着脱可能に固着して連結される。
【００２２】
基体部２に対する天板５の組付作業は、図５及び図６のように天板５の底部側に設けた補強金具１４に、例えば角穴状の開口で形成した係止受け部１５を設けると共に、連結機構部１１，１２の回転アーム１１Ｂ，１２Ｂ側に、例えばフック状の切り起こし爪片で形成した係止部１６を設け、係止受け部１５に係止部１６を係止保持し、回転アーム１１Ｂ，１２Ｂ側に設けたアーム本体１７を、補強金具１４に取付けねじ１８で着脱可能に固着して連結される。
【００２３】
基体部２に対する幕板６の組付作業は、図７のように幕板６に一端側を枢着したステー部材１９と、幕板６に下端側の連結片２０を固着したヒンジ部材２１とを用いて行われるが、ステー部材１９は他端側が取付けねじ２２で脚柱７，８の内側に着脱可能に枢着して連結される。
【００２４】
また、ヒンジ部材２１は上部側に形成したフック状の係止片２３を、角穴状の開口で形成した係止受け部２４に嵌合係止し、補強金具１４に取付けねじ２５で着脱可能に固着して連結され、連結片２０と係止片２３との間はヒンジ状に可動できるように連結されている。
【００２５】
これにより、図８の全体縦断面図で示すように一体化した折り畳み机１を、少ない取付けねじの連結によってノックダウン形式で容易に組立及び分解が可能であり、従って生産工場からエンドユーザに渡るまでの間は分割ユニットの状態で保管及び搬送し、現場で容易に組み立てすることができるので、場所を取らず且つ取り扱いも容易になるなどの効果を発揮する。
【００２６】
次に、折り畳み机１の詳細を要部の連結機構部１１，１２を中心に図９〜１１で説明するが、図９は固定支持部１１Ａ，１２Ａの正面図、図１０及び図１１は連結機構部１１，１２の要部縦断面図と要部横断面図であり、既に説明したように固定支持部１１Ａ，１２Ａと回転アーム１１Ｂ，１２Ｂとを備え、固定支持部１１Ａ，１２Ａは軽量化を図るためにアルミダイカストで形成されている。
【００２７】
固定支持部１１Ａ，１２Ａは、下部側に設けた取付け孔２６に横桟部材９を取付け孔２７に脚柱７，８をそれぞれ取付けねじ２８，２９で連結し、上部側に設けた軸心孔３０に枢支軸３１で回転アーム１１Ｂ，１２Ｂ側を枢着させ、上部側の前方外周にはカム面３２の両端部に係止溝３３（３３ａ，３３ｂ）を設けると共に、上部側の後方外周には係止溝３４（３４ａ，３４ｂ）を設けている。
【００２８】
回転アーム１１Ｂ，１２Ｂは、アーム本体１７とスライド操作部３５とで構成され、スライド操作部３５は前後方向へスライド可能な状態でアーム本体１７の底部側に組み込まれ、前端側にはスライド用の操作レバー３６を装着すると共に、後端側には揺動回転部３７が枢支軸３８で連結され、揺動回転部３７には係止溝３３（３３ａ，３３ｂ）に係合する係止軸３９が装着されている。
【００２９】
アーム本体１７には先に説明した係止部１６と枢支軸３１の他に、係止溝３４（３４ａ，３４ｂ）と係合する係止軸４０が装着されると共に、スライド操作部３５との連結を行うために、後端側から上方へ連結片４１を突出させ、連結片４１と揺動回転部３７の一端側を枢支軸４２で枢着し、同様に枢着した他方側の枢支軸４２との間をパイプ状の連結部材４３で着脱可能に連結している。
【００３０】
また、アーム本体１７の前端側にはスライド範囲に適合する長孔４４を設け、長孔４４を介して連結ねじ４５でスライド操作部３５との間をスライド可能に連結させ、枢支軸４２の外周にはスライド操作部３５を後端側へ付勢するコイルばね４６を巻装している。
【００３１】
この連結機構部１１，１２の動作を図１２で説明すると、天板５を水平状態（柱脚７，８に対して略直交状態）にした使用時には、図１２（ａ）のように係止軸４０が係止溝３４ａに嵌合されると共に、係止軸３９が係止溝３３ａに嵌合された状態を、コイルばね４６に付勢された揺動回転部３７によって係止されるので、天板５は柱脚７，８上で水平状態に保持される。
【００３２】
天板５を折り畳む際には、図１２（ｂ）のように操作レバー３６を把持して前方へ牽引すると、スライド操作部３５及び枢支軸３８で連結されている揺動回転部３７は、コイルばね４６の付勢力に抗して前方へスライドすると共に、揺動回転部３７が枢支軸４２を支点に図面上で時計方向に揺動回転し、係止軸３９が係止溝３３ａから離脱して係止状態から解放される。
【００３３】
これにより、天板５を図１２（ｃ）のように持ち上げると、揺動回転部３７の後端面がカム面３２に当接した状態で天板５は枢支軸３１を支点に回転し、天板５は柱脚７，８と略平行するように垂直状に折り畳まれた状態で、係止軸４０が係止溝３４ａから離脱して係止溝３４ｂに嵌合されると共に、揺動回転部３７がコイルばね４６の付勢力で引き戻され、係止軸３９が係止溝３３ｂに嵌合して係止されるので、天板５は柱脚７，８と略平行する略垂直状態に保持される。
【００３４】
従って、折り畳み机１は使用していない場合に折り畳んだ状態にし、場所を取らずに保管することが可能であり、特に多数の事務用机を使用している場合には、図１３のように重ね合わせた状態にして狭いスペースでも保管でき、また引っ越しの際などに移送する場合にも便利であり、また幕板６を装備した構成の場合には、ステー部材１９及びヒンジ部材２１によって幕板６は柱脚７，８と平行するように略垂直状に折り畳まれた状態になる。
【００３５】
なお、本発明は前記実施形態に限定されることなく、要旨の範囲内において各種の変形を採り得るものであり、例えば会議用のテーブルのように横幅が広い事務用机の場合には、脚柱及び脚台を３個所以上に設けてそれぞれに同様の連結機構部を装備させることも可能であり、また机の形態によっては幕板や棚板を省略した構成を採る場合もある。
【００３６】
また、前記実施形態では基体部２側に設けた円筒状の脚柱７，８に対して、脚台３，４を取り付けて脚部を構成しているが、これに替えて一定の厚みを有する板状材で脚部を構成し、この脚部を連結機構部１１，１２の固定支持部１１Ａ，１２Ａに対して、着脱可能に連結する実施形態を採ることもできる。
【図面の簡単な説明】
【図１】本発明を適用した折り畳み机を、分割状態にした梱包形態の説明図を示す。
【図２】本発明を適用した折り畳み机の正面図を示す。
【図３】本発明を適用した折り畳み机の側面図を示す。
【図４】本発明を適用した折り畳み机の組立手順の説明図で、基体部に対する脚台の組み付け状態を示す。
【図５】本発明を適用した折り畳み机の組立手順の説明図で、基体部に対する天板の組み付け状態を示す。
【図６】本発明を適用した折り畳み机の組立手順の説明図で、基体部に対する天板の組み付け状態を示す。
【図７】本発明を適用した折り畳み机の組立手順の説明図で、基体部及び天板に対する幕板の組み付け状態を示す。
【図８】本発明を適用した折り畳み机の全体縦断面図を示す。
【図９】本発明を適用した折り畳み机の要部である固定支持部の正面図を示す。
【図１０】本発明を適用した折り畳み机の要部である連結機構部の縦断面図を示す。
【図１１】本発明を適用した折り畳み机の要部である連結機構部の横断面図を示す。
【図１２】本発明を適用した折り畳み机の折り畳みを行う連結機構部の動作説明図を示す。
【図１３】本発明を適用した折り畳み机を折り畳んだ保管状態の説明図を示す。
【符号の説明】
１  折り畳み机
２  基体部
３，４  脚台
５  天板
６  幕板
７，８  脚柱
９  横桟部材
１０  棚板
１１，１２  連結機構部
１１Ａ，１２Ａ  固定支持部
１１Ｂ，１２Ｂ  回転アーム
１３，１８，２２，２５，２８，２９  取付けねじ
１４  補強金具
１５，２４  係止受け部
１６  係止部
１７  アーム本体
１９  ステー部材
２０  連結片
２１  ヒンジ部材
２３  係止片
２６，２７  取付け孔
３０  軸心孔
３１，３８，４２  枢支軸
３２  カム面
３３，３３ａ，３３ｂ，３４，３４ａ，３４ｂ  係止溝
３５  スライド操作部
３６  操作レバー
３７  揺動回転部
３９，４０  係止軸
４１  連結片
４３  連結部材
４４  長孔
４５  連結ねじ
４６  コイルばね
【図１】
0003740056.tif 000002
【図２】
0003740056.tif 000003
【図３】
0003740056.tif 000004
【図４】
0003740056.tif 000005
【図５】
0003740056.tif 000006
【図６】
0003740056.tif 000007
【図７】
0003740056.tif 000008
【図８】
0003740056.tif 000009
【図９】
0003740056.tif 000010
【図１０】
0003740056.tif 000011
【図１１】
0003740056.tif 000012
【図１２】
0003740056.tif 000013
【図１３】
0003740056.tif 000014